(57)【特許請求の範囲】
【請求項１】
挿入方向で挿入されるカートリッジと、該カートリッジを前記挿入方向とは逆方向である抜去方向へ前記イジェクトさせるイジェクト機構と、該イジェクト機構を外側面に設けかつ前記カートリッジを前記挿入方向でガイドして収納・固定するレシーバーとを含み、該レシーバーは前記挿入方向及び前記抜去方向に沿って前記カートリッジを対向させガイドして摺動させるよう規定する内側面及び上面を有する磁気記録テープドライブにおいて、
前記レシーバーの前記内側面及び前記上面の前記挿入方向及び前記抜去方向における中間部分には、該中間部分を除く前記内側面及び前記上面よりも凹ませた逃げ部を形成したことを特徴とする磁気記録テープドライブ。
【請求項２】
前記逃げ部は、前記中間部分を除く前記内側面及び前記上面よりも約０．３ｍｍ凹んでいることを特徴とする請求項１に記載の磁気記録テープドライブ。
【発明の詳細な説明】
【０００１】
【発明の属する技術分野】
本発明はＤＬＴ（Digital Linear Tape）やＬＴＯ（Linear Tape Open）に代表されるリニアテープストレージシステムに係る磁気記録テープドライブに関し、特にテープカセット（テープカートリッジ）をガイドするレシーバーを備えている磁気記録テープドライブに関する。
【０００２】
【従来の技術】
この種のリニアテープストレージシステムは、コンピュータシステムのバックアップ用として開発され、従来から種々のものが提案されている。例えば、ＤＬＴとしてのデジタル線形テープドライブは、特開平９−１９８６３９号公報などに開示されている。
【０００３】
デジタル線形テープドライブ（以下、単に「駆動装置」や「テープドライブ」、「ドライブ」とも呼ぶ。）は、単一のリール（供給テープリール）を持つテープカートリッジ（以下、単に「カートリッジ」とも呼ぶ。）を受けるためのものであり、その内部に巻取りリールを内蔵している。テープカートリッジが駆動装置に装着されると、テープカートリッジから磁気テープが引き出され、ヘッドガイドアセンブリ（ＨＧＡ）を介して巻取りリールで巻き取られる。ヘッドガイドアセンブリは、テープカートリッジから引き出された磁気テープ（以下、単に「テープ」とも呼ぶ。）を磁気ヘッドに案内するためのものである。磁気ヘッドは、当該テープとの間で情報を交換する。ヘッドガイドアセンブリは、一般に、ブーメラン状の形をしたアルミニウム製のプレートと、ベアリングを使用した６個の大きなガイドローラとで構成される。
【０００４】
尚、ヘッドガイドアセンブリは、テープガイドアセンブリとも呼ばれ、それは、例えば、特表平９−５００７５３号公報に開示されている。また、ガイドローラの一例は、特開２０００−１０００２５号公報に開示されている。
【０００５】
一般に、テープドライブは、例えば、特表２０００−５０１５４７号公報に記載されているように、共通のベースを有する略直方体形状のハウジングを含む。ベースは２つのスピンドルモータを有する。第１のスピンドルモータは、ベースに永久的に取り付けられたスプール（巻取りリール）を有し、そのスプールは、比較的高速で流れる磁気テープを受けるように大きさが定められている。第２のスピンドルモータは取外し可能なテープカートリッジを受けるように適合される。取外し可能なテープカートリッジは、ドライブのハウジングに形成されたスロットを通してドライブの中に手動で、または自動的に挿入される。テープカートリッジをスロットの中に挿入すると、カートリッジは第２のスピンドルモータと係合する。第１および第２のスピンドルモータを回転する前に、機械的なバックリング機構によってテープカートリッジは永久的に取付けられたスプールに接続される。テープカートリッジと永久スプールとの間に位置づけられた多くのローラ（ガイドローラ）は、テープカートリッジと永久に取付けられたスプールとの間を磁気テープが比較的高速で前後に移動する際にそれを案内する。
【０００６】
このような構成のデジタル線形テープドライブでは、巻取りリールがテープを供給テープリールから引っ張るための装置が必要である。そのような引っ張り装置は、例えば、特公平３−７５９５号公報に開示されている。この公報によると、巻取りリールには巻取りリーダ手段（第１のテープリーダ）が連結され、供給テープリール上のテープに供給テープリーダ手段（第２のテープリーダ）が固定されている。第１のテープリーダはその一端にタブを有し、第２のテープリーダはロッキング孔を有し、タブがロッキング孔に係合される。
【０００７】
さらに、第１のテープリーダを第２のテープリーダに接合するための機構も必要となる。そのような接合機構は、例えば、特公平６−３９０２７号公報に開示されている。
【０００８】
また、特開２０００−１００１１６号公報には、リーダテープ（第２のテープリーダ）の側方に突出する耳片を必要とすることなく、リーダテープの端部をテープカートリッジのテープエンド引掛け部に係止することのできる「リーダテープの係止部構造」が開示されている。
【０００９】
特開平１１−８６３８１号公報には、テープカートリッジがドライブに挿入されていない際に、テープドライブの巻取りリールが回転するのを防ぐためのロックシステムが開示されている。
【００１０】
尚、テープドライブは、テープヘッドアクチュエータアセンブリをさらに含み、このテープヘッドアクチュエータアセンブリは複数のローラによって規定されたテープ経路上に、巻取りスプールとテープカートリッジとの間に位置づけられる。動作中は、磁気テープが巻取りスプールとテープカートリッジとの間を前後に流れ、規定されたテープ経路上を流れる間にヘッドアクチュエータアセンブリに密に接近する。このようなヘッドアクチュエータアセンブリの一例は、上記特表２０００−５０１５４７号公報に開示されている。
【００１１】
一方、デジタル線形テープドライブに装着されるテープカートリッジとしては、その一例が特開２０００−１４９４９１号公報に開示されている。
【００１２】
また、特開平１１−３１６９９１号公報には、バックリング機構または巻取りリーダを使用することなくテープリーダがテープカートリッジから巻取りリールに押し進められるようにした「テープドライブ」が開示されている。
【００１３】
ところで、テープカートリッジがテープドライブに挿入され、テープカートリッジから引き出された磁気テープに対する磁気ヘッドとの間の情報交換が終了すると、磁気テープは再びテープカートリッジに巻戻される。その後、テープカートリッジをテープドライブからイジェクトするために、操作者がイジェクトボタンを操作すると、イジェクト機構によってテープカートリッジがテープドライブからイジェクトされる。以下に図面を参照して述べるように、従来のイジェクト機構は、そのイジェクト量が一定である。尚、「イジェクト量」とは、イジェクト時でのベセルからの突出量のことをいう。
【００１４】
以下に、図３を参照して、テープドライブの概略構成について説明する。図３は、上蓋を取り外した状態のテープドライブをそれに挿入されるカートリッジと共に図示した、背面側斜め上方から見た斜視図である。
【００１５】
テープドライブ１０は、カートリッジ２０を受けるためのものであり、その内部に巻取りリール１３を内蔵している。巻取りリール１３はスプールとも呼ばれる。テープドライブ１０は、共通のベース１１ａを有する略直方体形状のハウジング１１を含む。ベース１１ａは第１のスピンドルモータ（図示せず）と第２のスピンドルモータ１４とを有する。第１のスピンドルモータは、ベース１１ａに永久的に取り付けられたスプール（巻取りリール）１３を有している。そのスプール１３は、比較的高速で流れる磁気テープ（図示せず）を受けるようにその大きさが定められている。
【００１６】
図４に示すテープドライブ１０の前面ベゼル１６には、図示しないイジェクトボタンが設けられている。このイジェクトボタンを操作者が操作する（押す）と、イジェクト指令が上記制御ユニットに伝えられる。
【００１７】
第２のスピンドルモータ１４は、取外し可能なカートリッジ２０を受けるように適合される。取外し可能なカートリッジ２０は、ドライブ１０の第１及び第２のレシーバー５０′，５１′間を通してドライブ１０の中に手動で、または自動的に、図４に示す矢印Ａで示す挿入方向に沿って挿入される。
【００１８】
カートリッジ２０を第１及び第２のレシーバー５０′，５１′間に挿入すると、カートリッジ２０は周知の方法で第２のスピンドルモータ１４と係合する。第１および第２のスピンドルモータを回転する前に、機械的なバックリング機構１５によってテープカートリッジ２０は永久的に取付けられたスプール１３に接続される。テープカートリッジ２０と永久スプール１３との間に位置づけられた多くのローラ（ガイドローラ）１２は、テープカートリッジ２０と永久に取付けられたスプール１３との間を磁気テープが比較的高速で前後に移動する際にそれを案内する。
【００１９】
さらに、図４に示すように、イジェクト機構３０は、イジェクトレバー３１を持ち、その係合部３１１の突出部３１１ａは、カートリッジ２０の前端面２２に空けられたカートリッジハブロック解除穴部２２ａに挿入される。
【００２０】
イジェクト機構３０は、ベース１１ａに取り付けた第１のレシーバー５０′の外側面５０′ｃに取付けられている。また、ベース１１ａには第１のレシーバー５０′に対向するように第２のレシーバー５１′が取り付けられている。第１及び第２のレシーバー５０′，５１′は、樹脂材をモールド成形することによって作られており、カートリッジ２０をガイドし、収納・固定するための部品である。なお、第１のレシーバー５０′の具体的な形状例を、図５に拡大して示した。
【００２１】
カートリッジ２０は、ローディングされると、第１のレシーバー５０′の長板形状の第１の側板部５０′ｄにおける内側面５０′ａ、第１のレシーバー５０′の第１の上板部５０′ｅにおける上面５０′ｂ、及び図３及び図４に示した第２のレシーバー５１′の第２の上板部５１′ｅにおける上面５１′ｂとによって規定されかつ押しつけられて固定される。第１の上板部５０′ｅは、図５にも示したように、第１の側板部５０′ｄの長手方向に平行な二辺のうちの一辺に内側面５０′ａを直交する方向で長手方向に位置している。また、第１のレシーバー５０′には、第１の側板部５０′ｃのもう一辺に第１の側板部５０′ｃの外側面５０′ｃを直交する方向で形成されている第１の取付部５０′ｈ，５０′ｊを有している。第２のレシーバー５１′は、長板形状の第２の側板部５１′ｄと、長手方向に形成されている第２の上板部５１′ｅと有している。第２の上板部５１′ｅは、第２の側板部５１′ｄの長手方向に平行な二辺のうちの一辺に内側面５１′ａを直交する方向にかつ長手方向に位置している。さらに、第２のレシーバー５１′は、第２の側板部５１′ｃのもう一辺に第２の側板部５１′ｄの外側面５１′ｃを直交する方向に形成されている第２の取付部５１′ｈ，５１′ｊとを有している。
【００２２】
なお、図３及び図４は、上蓋を取り外した状態で、かつイジェクト機構３０を含むテープドライブ１０の一部分のみをカートリッジ２０と共に図示したものである。
【００２３】
カートリッジ２０を第１及び第２のレシーバー５０′，５１′の間に挿入すると、カートリッジ２０は周知の方法で第２のスピンドルモータと係合する。第１および第２のスピンドルモータを回転する前に、機械的なバックリング機構（図示せず）によってテープカートリッジ２０は、永久的に取付けられたスプールに接続される。テープカートリッジ２０と永久スプールとの間に位置づけられた多くのローラ（ガイドローラ）１２は、テープカートリッジ２０と永久に取付けられたスプールとの間を磁気テープが比較的高速で前後に移動する際にそれを案内する。
【００２４】
イジェクト機構３０は、挿入方向Ａに延在したイジェクトレバー３１を有している。このイジェクトレバー３１は挿入方向Ａおよびそれと逆方向である抜去（イジェクト）方向Ｂ（以下、両方向を一纏めにして「挿抜方向Ａ，Ｂ」と呼ぶ。）に摺動可能に第１のレシーバー５０′に取付けられている。イジェクトレバー３１は、その奥側の一端３１ａで、カートリッジ２０の前端面と係合するように第１のレシーバー５０′の内側面５０′ａ側に直角に折り曲げられた係合部３１１を持つ。イジェクトレバー３１は、図面では明確に図示されてはいないが、そのほぼ中央部に、ピニオン（小歯車）３２２と係合するラック（歯棒）３１２を有する。
【００２５】
イジェクト機構３０は、イジェクトレバー３１の摺動動作を停止するため、運動エネルギの一部または全部を吸収するダンパ３２を更に備える。このダンパ３２はダンパホルダ３３によって保持されており、ダンパホルダ３３は第１のレシーバー５０′の外側面５０′ｃに一対のネジ３４によって固定されている。詳述すると、ダンパホルダ３３は、ネジ３４で第１のレシーバー５０′の外側面５０′ｃに取り付け固定される取付け面３３１と、この取付け面３３１から直角に折り曲げられて水平に延在するダンパ保持面３３２とを有する。このダンパ保持面３３２には、その中央部に開口が空けられている。
【００２６】
一方、ダンパ３２は、ダンパ保持面３３２上に一対のネジ３５で固定されるダンパ本体３２１と、このダンパ本体３２１に開口を介して回転可能に取り付けられたピニオン３２２とを有する。このピニオン３２２は、上記イジェクトレバー３１のラック３１２と係合する。尚、ピニオン３２２はダンパ本体３２１の下方に設けられている。とにかく、ダンパ３２とダンパホルダ３３との組み合わせは、イジェクトレバー３１の運動を制動するダンピング部材として働く。
【００２７】
また、イジェクトレバー３１は、ラック３１２と奥側の一端３１ａ近傍との間に延在する拡幅部３１３を有し、この拡幅部３１３はラック３１２よりも下方にその幅が広くなっている。
【００２８】
さらに、イジェクト機構３０は、挿抜方向Ａ，Ｂに延在するイジェクトスプリング３７を有する。イジェクトスプリング３７の一端は、上記突起部３６に接続されている。また、イジェクトレバー３１は、上記奥側の一端で、第１のレシーバー５０′の内側面５０′ａ側とは反対側に突出した突起部３１４を有する。この突起部３１４にイジェクトスプリング３７の他端が接続されている。すなわち、イジェクトスプリング３７は、イジェクトレバー３１をイジェクト方向Ｂに付勢する付勢手段として動作する。
【００２９】
尚、テープドライブ１０は、第１のレシーバー５０′の内側面５０′ａ側で、ベース１１ａ上に回動自在に取付けられた、インターポーズレバー４１及びライトプロテクトアーム４２を有する。このインターポーズレバー４１は、カートリッジ２０がテープドライブ１０に挿入されたときに、カートリッジ２０の右側面に空けられた凹部２１に挿入される突起部（図示せず）を有する。
【００３０】
すなわち、このインターポーズレバー４１の突起部とカートリッジ２０の凹部２１とが係合することにより、カートリッジ２０がテープドライブ１０の中に挿入された状態が維持される。このインターポーズレバー４１の回動動作は、テープドライブ１０中に内蔵されているカム（図示せず）の回転動作によって制御される。尚、このカムの回転中心軸は、上記第２のスピンドルモータの回転軸と同軸である。
【００３１】
【発明が解決しようとする課題】
しかしながら、カートリッジ２０は、ローディングされると、第１のレシーバー５０′の内側面５０′ａと上面５０′ｂ、及び第２のレシーバー５１′の上面５１′ｂとによって規定されかつ押しつけられて固定されるので、その時に、第１のレシーバー５０′の成形時に形成されてしまう内側面５０′ａ、上面５０′ｂ、第２のレシーバー５１′の上面５１′ｂのいずれか突部分にカートリッジ２０がガイドされると、第１のレシーバー５０′もしくは第２のレシーバー５０′がカートリッジ２０に押されることとより、第１のレシーバー５０′もしくは第１のレシーバー５０′自体に反りが発生することによってカートリッジ２０をガイドする位置精度を悪化させる恐れがある。
【００３２】
すなわち、第１のレシーバー５０′の上面５０′ｂの挿抜方向Ａ，Ｂにおける中間部分に上面５０′ｂ上へ一番高く突き出した突部分がある場合には、カートリッジ２０が突部分に当たりガイドされてしまうので、第１の上板部５０′ｂにも反りが発生し、カートリッジ２０のガイドが不安定になるという問題がある。
【００３３】
また、第１のレシーバー５０′は、挿抜方向Ａ，Ｂにおける長手方向の寸法が１０６ｍｍとモールド品としては長い寸法のため、反りを抑制するには困難なものである。
【００３４】
それ故に、本発明の課題は、カートリッジをガイドする位置精度に影響を与えないようにしたテープドライブを提供することにある。
【００３５】
また、本発明の課題は、カートリッジの収納及び固定精度のバラツキを抑制することができる磁気記録テープドライブを提供することにある。
【００３６】
【課題を解決するための手段】
本発明によれば、挿入方向（Ａ）で挿入されるカートリッジ（２０）と、該カートリッジを前記挿入方向（Ａ）とは逆方向である抜去方向（Ｂ）へ前記イジェクトさせるイジェクト機構（３０）と、該イジェクト機構（３０）を外側面（５０ｃ）に設けかつ前記カートリッジを前記挿入方向（Ａ）でガイドして収納・固定するレシーバー（５０）とを含み、該レシーバー（５０）は前記挿入方向（Ａ）及び前記抜去方向（Ｂ）に沿って前記カートリッジ（２０）を対向させガイドして摺動させるよう規定する内側面（５０ａ）及び上面（５０ｂ）を有する磁気記録テープドライブにおいて、前記レシーバー（５０）の前記内側面（５０ａ）及び前記上面（５０ｂ）の前記挿入方向（Ａ）及び前記抜去方向（Ｂ）における中間部分には、該中間部分を除く前記内側面（５０ａ）及び前記上面（５０ｂ）よりも凹ませた逃げ部（５０ｆ，５０ｇ）を形成したことを特徴とする磁気記録テープドライブが得られる。
【００３７】
上記括弧内の符号は、本発明の理解を容易にするために付したものであり、一例にすぎず、これらに限定されないのは勿論である。
【００３８】
【発明の実施の形態】
以下、図面を参照して、本発明の実施の形態におけるテープドライブついて詳細に説明する。なお、先に説明した図３及び図５のテープドライブと同じ部分には、同じ符号を付して、同じ部分における一部の説明を省略する。
【００３９】
図１はテープドライブ１０をそれに挿入されるカートリッジ２０と共に示す斜視図であって、カートリッジ２０がテープドライブ１０からイジェクトされた状態を示す図である。
【００４０】
テープドライブ１０は、カートリッジ２０を受けるためのものであり、その内部に巻取りリール（スプール）１３を内蔵している。このテープドライブ１０は、共通のベース１１ａを有する略直方体形状のハウジング１１を含む。ベース１１ａは第１のスピンドルモータ（図示せず）と第２のスピンドルモータ１４（図３を参照）とを有する。
【００４１】
第１のスピンドルモータは、ベース１１ａに永久的に取り付けられたスプール（巻取りリール）１３を有している。そのスプール１３は、比較的高速で流れる磁気テープ（図示せず）を受けるようにその大きさが定められている。
【００４２】
取外し可能なカートリッジ２０は、ドライブ１０の第１及び第２のレシーバー５０，５１間を通してドライブ１０の中に手動で、または自動的に、矢印Ａで示す挿入方向に沿って挿入される。
【００４３】
カートリッジ２０を第１及び第２のレシーバー５０，５１間に挿入すると、カートリッジ２０は周知の方法で第２のスピンドルモータ１４と係合する。第１および第２のスピンドルモータを回転する前に、機械的なバックリング機構１５によってテープカートリッジ２０は永久的に取付けられたスプール１３に接続される。テープカートリッジ２０と永久スプール１３との間に位置づけられた多くのローラ（ガイドローラ）１２は、テープカートリッジ２０と永久に取付けられたスプール１３との間を磁気テープが比較的高速で前後に移動する際にそれを案内する。
【００４４】
イジェクト機構３０は、ベース１１ａに取り付けた第１のレシーバー５０の外側面５０ｃに取付けられている。また、ベース１１ａには第１のレシーバー５０に対向するように第２のレシーバー５１が取り付けられている。第１及び第２のレシーバー５０，５１は、樹脂材をモールド成形することによって作られており、カートリッジ２０をガイドし、収納・固定するための部品である。なお、第１のレシーバー５０の具体的な形状を、図２に拡大して示した。
【００４５】
カートリッジ２０は、ローディングされると、図２にも示した第１のレシーバー５０の長板形状の第１の側板部５０ｄにおける内側面５０ａ、第１のレシーバー５０の第１の上板部５０ｅにおける上面５０ｂ、及び第２のレシーバー５１の第２の上板部５１ｅにおける上面５１ｂとによって規定されかつ押しつけられて固定される。第１の上板部５０ｅは、第１の側板部５０ｄの長手方向に平行な二辺のうちの一辺に内側面５０ａを直交する方向でかつ長手方向に位置している。また、第１のレシーバー５０には、第１の側板部５０ｄのもう一辺に外側面５０ｃを直交する方向に形成されている第１の取付部５０ｈ，５０ｊが形成されている。第２のレシーバー５１は、長板形状の第２の側板部５１ｄと、長手方向に形成されている第２の上板部５１ｅと有している。第２の上板部５１ｅは、第２の側板部５１ｄの長手方向に平行な二辺のうちの一辺に内側面５１ａを直交する方向にかつ長手方向に位置している。さらに、第２のレシーバー５１は、図３において説明した第２の側板部５１ｃのもう一辺に、図３において説明した第２の側板部５１′ｄの外側面５１′ｃを直交する方向に形成されている第２の取付部５１′ｈ，５１′ｊと同様に、第２の側板部５１ｄの外側面を直交する方向に形成されている第２の取付部（図示せず）を有している。
【００４６】
イジェクト機構３０は、挿入方向Ａに延在したイジェクトレバー３１を有している。このイジェクトレバー３１は、挿入方向Ａおよびそれと逆方向である抜去（イジェクト）方向Ｂ（以下、両方向を一纏めにして「挿抜方向Ａ，Ｂ」と呼ぶ。）に摺動可能に第１のレシーバー５０の外側面５０ｃに取付けられている。
【００４７】
さらに、イジェクト機構３０は、イジェクトレバー３１の摺動動作を停止するため、運動エネルギの一部または全部を吸収するダンパ３２を更に備える。このダンパ３２は、図４に示したように、ダンパホルダ３３によって保持されている。
【００４８】
ダンパホルダ３３は、第１のレシーバー５０の外側面５０ｃに一対のネジ３４、３４によって固定されるが、その固定位置は調整可能となっている。
【００４９】
詳述すると、ダンパホルダ３３は、一対のネジ３４、３４で右側壁面に取り付け固定される取付け面３３１と、この取付け面３３１から直角に折り曲げられて水平に延在するダンパ保持面３３２とを有する。取付け面３３１には、挿抜方向Ａ，Ｂに互いに離れて延在する所定長さの一対の長孔が空けられている。
【００５０】
したがって、取付け面３３１は、一対のネジ３４を一対の長孔を介して第１のレシーバー５０の外側面５０ｃに螺合することによって固定される。このように、取付け面３３１に所定長さの長孔を形成することにより、第１のレシーバー５０の外側面５０ｃに対するダンパホルダ３３の取付け位置を調整することが可能となる。その結果、ダンパ３２の位置も調整可能となる。従って、イジェクト機構３０によるイジェクト量Ｅを、１５ｍｍ〜３０ｍｍの範囲で任意に設定することが可能となる。とにかく、一対の長孔と一対のネジ３４との組み合わせは、第１のレシーバ−５０の外側面５０ｃに対するダンパホルダ３３の取付け位置を調整する取付け調整手段として働く。
【００５１】
一方、ダンパ３２は、ダンパ保持面３３２上に一対のネジ３５、３５で固定されるダンパ本体３２１（図３を参照）と、このダンパ本体３２１に回転可能に取り付けられた上記ピニオン（小歯車）３２２とを有する。このピニオン３２２は、上記イジェクトレバー３１のラック３１２（図３を参照）と係合する。尚、ピニオン３２２はダンパ本体３２１の上方に設けられている。とにかく、ダンパ３２とダンパホルダ３３との組み合わせは、イジェクトレバー３１の運動を制動するダンピング部材として働く。
【００５２】
ダンパホルダ３３（ダンパ３２）が第１及び第２のレシーバー５０，５１に対して最も手前側に取付け固定された場合、上記離間距離が最も長くなり、従って、イジェクト量Ｅは最も長い３０ｍｍに設定、調整される。これに対して、ダンパホルダ３３（ダンパ３２）が第１のレシーバ−５０の外側面５０ｃに対して最も奥側に取付け固定された場合、上記離間距離が最も短くなり、イジェクト量Ｅは最も短い１５ｍｍに設定、調整される。
【００５３】
第１のレシーバー５０の内側面５０ａ及び上面５０ｂの挿抜方向Ａ，Ｂにおける中間部分には、中間部分を除く内側面５０ａ及び上面５０ｂよりも凹ませた逃げ部５０ｆ，５０ｇが形成されている。第１のレシーバー５０は、図２に具体的に示すように、カートリッジ２０をガイドして摺動させる位置精度に影響を与えないように、内側面５０ａ、上面５０ｂがともに挿抜方向Ａ，Ｂにおける中間部分を約０．３ｍｍ逃がした形状の逃げ部５０ｆ，５０ｇとなっている。逃げ部５０ｆ，５０ｇは、第１の側板部５０ｄ及び第１の上板部５０ｅの板厚寸法が中間部分を除く第１の側板部５０ｄ及び第１の上板部５０ｅの板厚寸法よりも実質的に薄くなっている部分であるので、内側面５０ａ、上面５０ｂの中間部分を除くカートリッジ２０が摺動する内側面５０ａ、上面５０ｂを平滑面にしておけばよい。なお、内側面５０ａ、上面５０ｂの中間部分を除く内側面５０ａ、上面５０ｂにおいて突部分があったとしても、内側面５０ａの中間部分を除く内側面５０ａ、上面５０ｂが挿抜方向Ａ，Ｂの両側間で大きくは離れているので、カートリッジ２０をガイドの際の内側面５０ａ、上面５０ｂの反りによる影響が少なく、安定した状態でガイドされる。これらの逃げ部５０ｆ，５０ｇを追加したことによって、内側面５０ａ、上面５０ｂはそれぞれ２面のカートリッジ２０をガイドする位置を設定することで、カートリッジ２０の収納及び固定精度のバラツキを抑制する。さらに、第２の上板部５１ｅにおいても、第１の上板部５０ｂの逃げ部５０ｆと同様に、中間部分を除く上面５１ｂに逃げ部（図示せず）が形成されている。
【００５４】
さらに、イジェクト機構３０は、挿抜方向Ａ，Ｂに延在するイジェクトスプリング３７を有する。イジェクトスプリング３７の一端３７ａは、第１のレシーバ５０の外側面５０ｃから手前側で突出する突起部３６に接続されている。
【００５５】
このイジェクトスプリング３７は、常に、イジェクトレバー３１を抜去（イジェクト）方向Ｂに付勢している。とにかく、イジェクトスプリング３７は、イジェクトレバー３７をイジェクト方向Ｂに付勢する付勢手段として作用する。
【００５６】
なお、テープドライブ１０は、第１のレシーバー５０の外側面５０ｃ側で、ベース１１ａ上に回動自在に取付けられた、インターポーズレバー４１及びライトプロテクトアーム４２を有する。このインターポーズレバー４１は、カートリッジ２０がテープドライブ１０に挿入されたときに、カートリッジ２０の右側面２３に空けられた凹部２１に挿入される突起部を有する。
【００５７】
すなわち、このインターポーズレバー４１の突起部とカートリッジ２０の凹部２１とが係合することにより、カートリッジ２０がテープドライブ１０の中に挿入された状態が維持される。このインターポーズレバー４１の回動動作は、テープドライブ１０中に内蔵されているカムの回転動作によって制御される。尚、このカムの中心軸は、上記第２のスピンドルモータの回転軸と同軸である。
【００５８】
また、テープドライブ１０は、ガイドシャフト４３を備えている。このガイドシャフト４３は、インターポーズレバー４１とライトプロテクトアーム４２の支点軸として働く。
【００５９】
次に、カートリッジ２０をテープドライブ１０中に挿入する場合の動作について説明する。
【００６０】
カートリッジ２０を挿入方向Ａへ第１及び第２のレシーバー５０，５１間へ挿入していくと、インターポーズレバー４１は、ガイドシャフト４３の回りをバネ（図示せず）等の付勢手段による付勢力に抗して反時計回りに回動した状態にある。カートリッジ２０が挿入され続けると、カートリッジ２０の前端面２２がイジェクトレバー３１と係合する。この係合状態でさらにカートリッジ２０がイジェクトスプリング３７の付勢力に抗して挿入され続けると、イジェクトレバー３１とダンパホルダ３３との係合が解かれる。
【００６１】
さらに、カートリッジ２０が挿入され続けると、インターポーズレバー４１が、その付勢手段の付勢力によりガイドシャフト４３の回りを時計回りに回動して、突起部（図示せず）がカートリッジ２０の凹部２１と係合する。これにより、イジェクトスプリング３７が最大に伸びた状態で、カートリッジ２０がテープドライブ１０の第１及び第２のレシーバー５０，５１間に完全に挿入される。このカートリッジ２０の挿入が完了後、ローディングが行われる。
【００６２】
挿入されたカートリッジ２０をテープドライブ１０からイジェクトする場合の動作について説明する。
【００６３】
テープドライブ１０の前面ベゼル１６には、図示しないイジェクトボタンが設けられている。このイジェクトボタンを操作者が操作する（押す）と、イジェクト指令が制御ユニットに伝えられる。
【００６４】
尚、上述した動作説明では、イジェクト機構３０におけるイジェクト量Ｅを３０ｍｍに設定した場合について述べたが、図４および図５に説明した構成と同じように、第１のレシーバー５０の外側面５０ｃに対してダンパホルダ３３の取付け位置を設定、調整することにより、上記イジェクト量Ｅを約１５ｍｍまで短くすることができる。すなわち、イジェクト機構３０によるイジェクト量Ｅを前面ベゼル１６より１５ｍｍ〜３０ｍｍの範囲内で任意に設定（調整）することが可能となる。
【００６５】
以上、本発明について好ましい実施の形態によって説明を例に挙げて説明してきたが、本発明は上述した実施の形態に限定しないのは勿論である。例えば、上述した実施の形態では、テープカートリッジのイジェクト機構をもつレシーバーについて述べているが、ディスク等、他のメディアのイジェクト機構もつレシーバーにも応用可能である。
【００６６】
【発明の効果】
以上の説明から明らかなように、本発明では、レシーバーの中間部分に逃げ部をもつ形状とすることによって、カートリッジをガイドする位置精度に影響を与えないようにした磁気記録テープドライブが得られる。
【００６７】
また、本発明によれば、レシーバーに逃げ部を追加することによって、上面及
び内側面のカートリッジをガイドする位置を設定することで、カートリッジの収納及び固定精度のバラツキを抑制することができる。
【図面の簡単な説明】
【図１】本発明の一実施形態によるイジェクト機構を含むテープドライブをそれに挿入されるカートリッジと共に示した概略斜視図である。
【図２】図１に示した第１のレシーバーの具体的な形状を示した斜視図でえある。
【図３】先行技術によるイジェクト機構が適用されるテープドライブの概略構成を、上蓋を取り外した状態で、それに挿入されるカートリッジと共に図示した背面側斜め上方から見た斜視図である。
【図４】図３に示したイジェクト機構を含むテープドライブをそれに挿入されるカートリッジと共に示す斜視図であって、カートリッジがテープドライブからイジェクトされた状態を示す図である。
【図５】図３に示した第１のレシーバーの具体的な形状を示した斜視図である。
【符号の説明】
１０    テープドライブ
１１    ハウジング
１１ａ    ベース
１２    ガイドローラ
１３    巻取りリール（スプール）
１４    スピンドルモータ
１５    バックリング機構
２０    カートリッジ
３０    イジェクト機構
３１    イジェクトレバー
３２    ダンパ
３３    ダンパホルダ
３６    突起部
３７    イジェクトスプリング
４１    インターポーズレバー
４２    ライトプロテクトアーム
５０，５０′    第１のレシーバー
５１，５１′    第２のレシーバー
５０ａ，５０′ａ    内側面
５０ｂ，５０′ｂ    上面
５０ｃ    外側面
５０ｆ    逃げ部
【図１】
0003661782.tif 000002
【図２】
0003661782.tif 000003
【図３】
0003661782.tif 000004
【図４】
0003661782.tif 000005
【図５】
0003661782.tif 000006